(57)【要約】【課題】乗車通路側面を有効利用し得るとともに、乗車通路側のサイドカバーに傷を付き難くし得る運賃箱を提供する。【解決手段】本実施形態に係る運賃箱１０では、所定の図形、文字又は記号を表示した広告表示媒体２０により運賃箱１０のサイドカバー１１ａ（乗客通路側面）のほぼ全面を覆う。これにより、これまではあまり活用されていなかった乗車通路側面を有効利用することができる。また、広告表示媒体２０は、サイドカバー１１ａに貼付可能な厚口のシールや、シート状の透明ケースに収容されてサイドカバー１１ａに着脱自在に装着可能に構成される。これにより、乗客の持ち物等が運賃箱１０の乗客通路側面に接触しても、運賃箱１０のサイドカバー１１ａと乗客の持ち物等との間に広告表示媒体２０が介在するので、乗客の持ち物等がサイドカバー１１ａに直接触れず、サイドカバー１１ａに傷を付き難くすることができる。【選択図】図１
2013242711.tif 000002
【特許請求の範囲】
【請求項１】
乗合車両に搭載される運賃箱において、所定の図形、文字又は記号を表示した広告表示媒体により運賃箱の乗客通路側面のほぼ全面を覆うことを特徴とする運賃箱。
【請求項２】
前記広告表示媒体は、前記乗客通路側面に貼付可能な厚口のシールであることを特徴とする請求項１に記載の運賃箱。
【請求項３】
前記広告表示媒体はシート状の透明ケースに収容されており、この透明ケースは、前記乗客通路側面に着脱自在に装着可能に構成されることを特徴とする請求項１に記載の運賃箱。
【発明の詳細な説明】
【技術分野】
【０００１】
本発明は、乗合車両（路線バス、路面電車、トロリーバス等のワンマン運行方式の乗合バスや鉄道等の車両）に搭載される運賃箱に関する。
【背景技術】
【０００２】
乗合車両に搭載される運賃箱として、例えば下記特許文献１に開示されるものがある。この種の運賃箱は、車両前後方向に延びる厚板壁形状をなすように構成されており、運転席付近に設けられる。運賃箱には、乗客が車両前部の乗降口から乗車して乗車時に乗車運賃を支払う「前払い方式」に対応するものや、車両後部から乗車して、車両前部の乗降口から降車する時に乗車運賃を支払う「後払い方式」に対応するものがある。
【０００３】
乗車運賃が定額料金の場合には、一般的には前払い方式が採用されて、乗合車両に乗車する乗客に対して、乗客通路側の幅広の側面（乗車通路側面）が対峙する位置関係で運賃箱が設置されることが多い。車両前方の乗降口から乗車した乗客は、運賃箱に運賃を入れてから車内へと通路を進む。
【先行技術文献】
【特許文献】
【０００４】
【特許文献１】特開２００６−２８５９７０号公報
【発明の概要】
【発明が解決しようとする課題】
【０００５】
これまでの運賃箱は、その乗車通路側面が板壁のように幅広で且つ乗車時に乗客が最初に目にし得る位置関係にありながら、あまり有効的な利用がされていなかった。例えば、上記特許文献１に開示されるものでは、運賃箱の乗車通路側面の上方部分の一部範囲において、乗客に対して磁気カードの挿入方向を明示する案内情報が表示されているに過ぎない。そのため、乗車時の乗客に対して視覚的にアピール可能な位置関係にありながら乗車通路側面の残りの部分は有効に利用されていない。
【０００６】
また、運賃箱は、構造的な強度面を考慮して筐体のサイドカバーが金属板等で構成されている。そのため、例えば、運賃を支払う場面において、鞄等の乗客の持ち物が、直接、運賃箱の乗車通路側のサイドカバーに接触した場合には、その持ち物に傷等を付けてしまうおそれがある。また、反対に運賃箱のサイドカバーに傷が付く可能性が皆無であるとは言い難く、筐体の構造上、サイドカバーの交換は必ずしも容易ではない。
【０００７】
本発明は、上述した課題を解決するためになされたもので、乗車通路側面を有効利用し得る運賃箱を提供することを目的とする。また、別の目的は、乗車通路側のサイドカバーに傷を付き難くし得る運賃箱を提供することである。
【課題を解決するための手段】
【０００８】
上記目的を達成するため、特許請求の範囲の請求項１に記載された運賃箱は、乗合車両に搭載される運賃箱において、所定の図形、文字又は記号を表示した広告表示媒体により運賃箱の乗客通路側面のほぼ全面を覆うことを特徴とする。
【０００９】
特許請求の範囲の請求項２に記載された運賃箱は、請求項１の運賃箱において、前記広告表示媒体は、前記乗客通路側面に貼付可能な厚口のシールであることを特徴とする。
【００１０】
特許請求の範囲の請求項３に記載された運賃箱は、請求項１の運賃箱において、前記広告表示媒体はシート状の透明ケースに収容されており、この透明ケースは、前記乗客通路側面に着脱自在に装着可能に構成されることを特徴とする。
【発明の効果】
【００１１】
本発明では、所定の図形、文字又は記号を表示した広告表示媒体によって、運賃箱の乗客通路側面のほぼ全面を覆うため、これまではあまり活用されていなかった乗車通路側面を有効利用することができる。運賃箱の乗車通路側面は、乗車時の乗客の視界に最初に入る可能性が高いため、高い広告効果が期待できる。また、乗客の持ち物等が運賃箱の乗客通路側面に接触しても、運賃箱のサイドカバーと乗客の持ち物等との間に広告表示媒体が介在して、乗客の持ち物等がサイドカバーに直接触れないため、乗車通路側のサイドカバーに傷を付き難くすることができる。
【図面の簡単な説明】
【００１２】
【図１】本発明の実施形態に係る運賃箱の外観構成を示す斜視図である。
【発明を実施するための形態】
【００１３】
以下、本発明の運賃箱の実施形態について図を参照して説明する。図１には、運賃箱１０の外観構成を示す斜視図が図示されている。実施形態に係る運賃箱１０は、例えば、定額前払い方式のワンマンバス（図略）に搭載される。例えば、運賃箱１０は、路線バスの前方乗車口付近、即ち運転席と乗車口との間の乗車通路に沿って設けられて、運転席の進行方向左側に位置する。つまり、運賃箱１０は、バス車内において、乗客が乗車時に最初に目にし得る位置に設けられている。また、図示は省略するが、運賃箱１０は、車両前部の乗降口付近に設けられているため、車両前部のドアが開いている際には乗降口を通じてバス車外からも視認可能になっている。
【００１４】
図１に示すように、運賃箱１０は、バスに搭載した状態において車両前後方向に延びる厚板壁形状の筐体１１によって外観形状の大半を構成しており、この筐体１１の上部には券銭投入口１２、ＩＣカードリードライタ１３、硬貨挿入口１４、紙幣挿入口１５及び液晶ディスプレィ１７が設けられている。
【００１５】
筐体１１の乗客通路側は、例えば鋼板からなるサイドカバー１１ａが設けられており、運賃表示部１８や金庫１９の部分を除いて、筐体１１の乗客通路側をほぼ平面状に覆っている。筐体１１の車両後方側（図１において紙面右側）には、硬貨排出口１６が設けられている。本実施形態では、サイドカバー１１ａには広告表示媒体２０が貼付されている（図１に示すハッチング範囲）。広告表示媒体２０の詳細については後述する。なお、特許請求の範囲に記載の「乗客通路側面」は、このサイドカバー１１ａに加えて運賃表示部１８及び金庫１９の部分を含む範囲の概念である。
【００１６】
券銭投入口１２は、乗客が乗車する際に、予め決められている定額の乗車運賃（例えば、大人２１０円、小児１２０円）を支払うために、硬貨や乗車券を投入するための受け口でここから投入された硬貨や乗車券は、筐体１１内に設けられる、図略の券銭分離装置、搬送コンベア、硬貨シュート（又は券類シュート）を経て、下方の金庫１９に収容される。なお、本実施形態では、定額の乗車運賃は、乗車の際に乗客の視界に入る位置、即ち乗客通路側のサイドカバー１１ａに設けられた運賃表示部１８（上段：大人料金、下段：小児料金）に表示されている。
【００１７】
ＩＣカードリードライタ１３は、券銭投入口１２に硬貨等を投入する代わりに、所定のＩＣカードで乗車運賃を精算する際に使用されるＩＣカードの読み取り及び書き込み装置である。例えば、ＩＣカードに記憶されたポイント情報を読み出す機能と、その情報から乗車運賃相当のポイント数を差し引いた後のポイント情報を書き戻す機能を備える。
【００１８】
硬貨挿入口１４や紙幣挿入口１５は、乗客が券銭投入口１２に投入する乗車運賃額相当の硬貨を持ち合わせていない場合に、両替や釣り銭の返金を可能にするもので、硬貨挿入口１４に硬貨、又は紙幣挿入口１５に紙幣が挿入されると、筐体１１内の図略の両替装置により両替された硬貨や運賃を差し引いて残金（釣り銭）が硬貨排出口１６から排出される。単なる両替の場合には、乗客は、硬貨排出口１６から排出された受け皿内の硬貨から運賃額分の硬貨を券銭投入口１２に投入して乗車運賃を支払う。硬貨挿入口１４や紙幣挿入口１５から挿入された硬貨や紙幣も、筐体１１内に設けられる、硬貨シュートや紙幣シュートを経て下方の金庫１９に収容される。
【００１９】
これら各装置による運賃の支払いや両替の処理状態は、筐体１１内に設けられる制御コンピュータによって乗客や運転席の乗務員（運転士）が目視確認できるように液晶ディスプレィ１７に表示される。即ち、券銭投入口１２又はＩＣカードリードライタ１３によって行われる運賃の支払いに関する情報や、硬貨挿入口１４や紙幣挿入口１５から挿入された硬貨や紙幣の両替に関する情報は、制御コンピュータにより情報処理されて文字情報として液晶ディスプレィ１７に出力され得るように構成されている。
【００２０】
金庫１９は、券銭投入口１２、硬貨挿入口１４及び紙幣挿入口１５から投入等された硬貨、紙幣や券類を硬貨シュート等を介して収集して収容するもので、筐体１１の下方車両後方側（図１において紙面右側）に設けられて、乗客通路側から取り外し可能に構成されている。
【００２１】
ここで、サイドカバー１１ａに貼付されている広告表示媒体２０について説明する。広告表示媒体２０は、サイドカバー１１ａの形状にほぼ合致するように形成されるシール部材（裏面に接着層又は接着剤を有するシール）で、例えば、ポリ塩化ビニルやポリエステル等からなり、厚さが０．１mm以上１mm以下、望ましくは０．３mm以上０．６mm以下に設定されている。０．１mmよりも薄い場合には乗客の持ち物等が接触したときに破損や剥離しやすく、また１mmよりも厚い場合にはサイドカバー１１ａへの貼り付け作業や張り替え作業を行い難くすることから、広告表示媒体２０の厚さは前記範囲が比較的適している。
【００２２】
この広告表示媒体２０には、任意のイラスト、ロゴ、文字、記号（所定の図形、文字又は記号）又はこれらの組み合わせによるデザイン、メッセージや情報が耐光性インクによって印刷されており、このようなデザイン等が印刷された広告表示媒体２０を運賃箱１０の乗客通路側面のサイドカバー１１ａの表面に貼り付けることによって、運賃箱１０の乗客通路側面の大部分に広告表示をすることが可能となる。なお、耐光性はインクに持たせることなく、印刷後に耐光性の薬剤で表面をコーティングしたり、被印刷物自体に耐光性を持たせたりしても良い。
【００２３】
前述したように、乗客通路側に設けられるサイドカバー１１ａは、運賃表示部１８や金庫１９の範囲を除いて設けられている。これは、運賃表示部１８による表示内容を乗客に視認可能に運賃表示部１８を外部に露出させるためや、サイドカバー１１ａを外すことなく金庫１９の着脱を自在にするためである。このため、広告表示媒体２０においても、サイドカバー１１ａとほぼ同形状に、運賃表示部１８の範囲に窓部２３や、金庫１９の部分に切欠部２１が形成されている。
【００２４】
また、広告表示媒体２０には、サイドカバー１１ａに貼付した状態において、券銭投入口１２等の下方範囲（符号２５ａ，２５ｂ，２５ｃ）に券銭投入口１２等の用途や使用方法を乗客に示す案内情報が表示されている。例えば、券銭投入口１２の場合には、案内表示２５ａの範囲内に、「硬貨投入口」を意味する日本語や外国語による文字情報や投入可能な金種等をピクトグラムで表した図形情報が表示されている。
【００２５】
同様に、硬貨挿入口１４及び紙幣挿入口１５に対応する案内表示２５ｃの範囲には、「運賃・紙幣入口」を意味する日本語等による文字情報や挿入可能な金種等をピクトグラムで表した図形情報が表示されている。また、ＩＣカードリードライタ１３の対応する案内表示２５ｂの範囲には、ＩＣカードをかざす様子を示すピクトグラムや日本語等の文字情報が表示されている。
【００２６】
このように本実施形態では、金庫１９を乗客通路側から取り外し可能に構成される金庫１９の取出口の範囲を除いて、運賃箱１０の乗客通路側面に広告表示媒体２０を貼付して覆うように構成したが、サイドカバー１１ａとほぼ同一面にある金庫１９の表面部分にも広告表示媒体２０の一部を貼付しても良い。この場合、金庫１９に着脱作業に支障のないように、金庫１９の表面部分に貼付する広告表示媒体２０の一部をサイドカバー１１ａに貼付する広告表示媒体２０から分離可能に構成する。
【００２７】
また、本実施形態では、広告表示媒体２０において、運賃表示部１８に相当する範囲に窓部２３を設け、運賃表示部１８の範囲を除いて運賃箱１０の乗客通路側面に広告表示媒体２０を貼付して覆うように構成したが、このような運賃表示部１８が必要ない場合や、運賃表示部１８の代わりに運賃表示部１８で表示する内容を広告表示媒体２０に印刷して運賃表示部１８を省略する場合には、窓部２３を設けることなく、窓部２３の範囲にも広告表示媒体２０を貼付しても良い。
【００２８】
なお、広告表示媒体２０は、シール部材に限られることはなく、例えば、任意のイラスト、ロゴ、文字、記号（所定の図形、文字又は記号）又はこれらの組み合わせによるデザイン、メッセージや情報を、紙や、樹脂製又は金属製フィルムに印刷したものであっても良い。この場合、例えば、両面テープや剥離可能な接着剤でサイドカバー１１ａに直接、貼付したり、又は面ファスナーやスナップ等でサイドカバー１１ａに着脱自在に取り付けても良い。
【００２９】
また、このような紙やフィルムを、入れたり挟んだりすることが可能なシート状の透明ケース（例えば、硬質ポリ塩化ビニル、ポリエチレンテレフタレートやポリプロピレン等からなる比較的硬いもの）を、サイドカバー１１ａに対して、例えば、両面テープや剥離可能な接着剤で貼付したり、又は面ファスナーやスナップ等でサイドカバー１１ａに着脱自在に取り付けても良い。これにより、広告表示媒体２０が透明ケースによって保護されるので、汚れ難くや破損し難くなる。また紙に印刷する場合には、フィルム等に印刷する場合に比べてコストの低減も可能となる。
【００３０】
乗客が使用するＩＣカード等が磁気の影響を受け難いものである場合には、このような広告表示媒体２０を入れたシート状の透明ケースの裏側にマグネットテープを貼り付けて磁力によりサイドカバー（鋼板製）１１ａに透明ケースを着脱自在に取り付けても良い。さらに、このような透明ケースをつり下げ可能なフックをサイドカバー１１ａの上部に取り付けて、透明ケースをフックによりつり下げても良い。これにより、簡易な構成でかつ容易に広告表示媒体２０を着脱することができる。さらに、フックとマグネットテープとを併用しても良い。これにより、フックだけでつり下げた場合に比べて、つり下がった透明ケースを外れ難くすることができる。
【００３１】
さらに、運賃箱１０の車両後方から前方（図１において紙面右側から左側）に向けてサイドカバー１１ａの表面を覆うように、前記シート状の透明ケースをスライドさせて差し込み可能に、サイドカバー１１ａの上端及び下端にガイドレールを設けても良い。これにより、サイドカバー１１ａから容易に外れ難くすることができる。また比較的作業スペースが広い運賃箱１０の車両後方側から、透明ケースの着脱作業を行うことができるので、作業性が高まる。
【００３２】
また、運賃箱１０の車両前方から後方（図１において紙面左側から右側）に向けてサイドカバー１１ａの表面を覆うように、シート状の透明ケースをスライドさせて差し込み可能に、サイドカバー１１ａの上端、下端及び金庫１９の取出口の範囲の上部にガイドレールを設けても良い。これにより、賃箱１０の車両後方から前方に向けて透明ケースを差し込む場合に比べて、金庫１９の上方においてもガイドレールが存在するため、サイドカバー１１ａに取り付けられた透明ケースを外れ難くすることができる。
【００３３】
また、さらに、運賃箱１０の上方から下方（図１において紙面上側から下側）に向けてサイドカバー１１ａの表面を覆うように、シート状の透明ケースをスライドさせて差し込み可能に、サイドカバー１１ａの左右両側にガイドレールを設けても良い。これにより、運賃箱１０の車両後方や前方から透明ケースをスライドさせて差し込む場合に比べて、着脱作業時における作業位置が高くなり、また作業スペースも比較的広く確保できるため、作業者の身体的な負担を軽減することができる。
【００３４】
以上説明したように、本実施形態に係る運賃箱１０によると、所定の図形、文字又は記号を表示した広告表示媒体２０により運賃箱１０の乗客通路側面のほぼ全面を覆うため、これまではあまり活用されていなかった乗車通路側面を有効利用することができる。
【００３５】
また、広告表示媒体２０は、サイドカバー１１ａに貼付可能な厚口のシールや、シート状の透明ケースに収容されてサイドカバー１１ａに着脱自在に装着可能に構成される。これにより、乗客の持ち物等が運賃箱１０の乗客通路側面に接触しても、運賃箱１０のサイドカバー１１ａと乗客の持ち物等との間に広告表示媒体２０が介在するので、乗客の持ち物等がサイドカバー１１ａに直接触れず、サイドカバー１１ａに傷を付き難くすることができる。
【００３６】
なお、上述した技術的事項から、「乗客が支払った運賃を収納する金庫１９を前記乗客通路側面から取り外し可能に構成される運賃箱１０において、前記広告表示媒体２０は、前記金庫１９の範囲又は前記金庫１９の取出口の範囲を除いて前記乗客通路側面を覆うことを特徴とする運賃箱。」の技術的思想が把握される。これにより、金庫１９の取出口の範囲は広告表示媒体２０により覆われないため、広告表示媒体２０を外すことなく金庫１９を着脱することができる。
【００３７】
また、上述した技術的事項から、「乗客が支払う運賃額を表示する運賃表示部１８が前記乗客通路側面に設けられる運賃箱１０において、前記広告表示媒体２０は、前記運賃表示部１８の範囲を除いて前記乗客通路側面を覆うことを特徴とする運賃箱。」の技術的思想が把握される。これにより、運賃表示部１８の範囲は広告表示媒体２０により覆われないため、乗客による運賃表示部１８の表示内容の視認を妨げない。
【００３８】
さらに、上述した技術的事項から、「前記シート状の透明ケースは、前記乗客通路側面に設けられるガイドレールによって、乗合車両に搭載された前記運賃箱１０の車両前方、車両後方又は上方向から、スライドさせて着脱自在に構成されていることを特徴とする運賃箱。」の技術的思想が把握される。ガイドレールは、乗客通路側面の左右の両端に設けるようにしてもよいし、乗客通路側面の上端及び下端に設けるようにしても良い。これにより、取り付けられた前記透明ケースを前記乗客通路側面から容易に外れ難くすることができる。
【００３９】
上述した実施形態では、運賃箱１０を、定額前払い方式のワンマンバスの前方乗車口付近に設ける例を説明したが、車両の中央や後方に乗車口が存在する場合には、運賃箱１０をそれらの乗車口付近に設けても良い。また、乗車距離や区間に応じて乗車運賃が変動する後払い方式のワンマンバスの場合にも、本実施形態に係る運賃箱１０を降車口付近に設けることで、同様に適用することができる。後払い方式の場合、一般には、車両の前方に降車口が存在するが、中央や後方に降車口があっても運賃箱１０を適用できる。
【符号の説明】
【００４０】
１０…運賃箱
１１…筐体
１１ａ…サイドカバー
１２…券銭投入口
１３…ＩＣカードリードライタ
１８…運賃表示部
１９…金庫
２０…広告表示媒体
２１…切欠部
２３…窓部
２５ａ〜２５ｃ…案内表示
【図１】
2013242711.tif 000003